【手続補正書】
【提出日】平成31年1月28日(2019.1.28)
【手続補正１】
【補正対象書類名】明細書
【補正対象項目名】００７８
【補正方法】変更
【補正の内容】
【００７８】
比較例６〜８を従来のポリオールを用いて製造した。これらの実施例は、抗酸化剤が、ポリエーテルカーボネートポリオールを用いて製造した軟質ポリウレタンフォームの場合と同じ様に、フォーム内部の変色に影響を及ぼさないことを示している。
（１）
Ａ１  ≧５０〜≦１００重量部の、ＤＩＮ５３２４０にしたがって≧２０ｍｇ  ＫＯＨ／ｇ〜≦２５０ｍｇ  ＫＯＨ／ｇの水酸基価を有するポリエーテルカーボネートポリオール；
Ａ２  ≦５０〜≧０重量部の、ＤＩＮ５３２４０にしたがって≧２０ｍｇ  ＫＯＨ／ｇ〜≦２５０ｍｇ  ＫＯＨ／ｇの水酸基価を有する、カ−ボネート単位を含まないポリエーテルポリオール；
Ａ３  成分Ａ１およびＡ２の重量部の総和に対して０．５〜２５重量部の、水および／または物理的発泡剤；
Ａ４  成分Ａ１およびＡ２の重量部の総和に対して０．０２〜３．０重量部の、式：
ＨＮＲ１Ｒ２          （ＶＩ）
［式中、
Ｒ１は、Ｃ１〜Ｃ１８アルキル、フェニル−Ｃ１〜Ｃ４アルキル、Ｃ５〜Ｃ１２シクロアルキル、フェニル、ナフチル、各々がＣ１〜Ｃ１２アルキルもしくはＣ１〜Ｃ１２アルコキシもしくはベンジルもしくはα，α−ジメチルベンジルで置換されているフェニルまたはナフチルを表し、かつ
Ｒ２は、フェニル、ナフチル、各々がＣ１〜Ｃ１２アルキルもしくはＣ１〜Ｃ１２アルコキシもしくはベンジルもしくはα，α−ジメチルベンジルで置換されているフェニルまたはナフチルを表す。]
の少なくとも１種の化合物を含んでなる抗酸化剤；
Ａ５  成分Ａ１およびＡ２の重量部の総和に対して０．１〜８．１重量部の、補助物質および添加物質
を含んでなる成分Ａと、
ジ−および／またはポリイソシアネートを含んでなる成分Ｂ
との反応による、ポリウレタンフォーム、好ましくは軟質ポリウレタンフォーム、の製造方法であって、
製造が、７０〜１３０のインデックスにおいて行われ、
組成中のＡ１＋Ａ２の重量部の総和が１００になるように、全ての前記成分Ａ１〜Ａ５の前記重量部が正規化され、かつ、
ａ）成分Ａは、抗酸化剤Ａ４以外にその他の抗酸化剤を含有しないか、または、ｂ）成分Ａは、抗酸化剤Ａ４以外に、
ｉ）フェノール誘導体
ｉｉ）ラクトン
ｉｉｉ）リン誘導体
の群から選択される１つ以上の化合物を含んでなる抗酸化剤を含有しない、方法。
（２）
１００重量部のＡ１を使用する、（１）に記載の方法。
（３）
抗酸化剤Ａ４が、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔ−オクチルフェニル）−１−ナフチルアミン、Ｎ−フェニル−２−ナフチルアミン、オクチル化ジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔ−オクチル化Ｎ−フェニル−１−ナフチルアミン、モノ−およびジアルキル化ｔ−ブチル/ｔ−オクチルジフェニルアミン類の混合物、モノ−およびジアルキル化ノニルジフェニルアミン類の混合物、モノ−およびジアルキル化ドデシルジフェニルアミン類の混合物、モノ−およびジアルキル化イソプロピル/イソヘキシルジフェニルアミン類の混合物、モノ−およびジアルキル化ｔ−ブチルジフェニルアミン類の混合物、２，３−ジヒドロ−３，３−ジメチル−４Ｈ−１，４−ベンゾチアジン、フェノチアジン、モノ−およびジアルキル化ｔ−ブチル/ｔ−オクチルフェノチアジン類の混合物、同様に、モノ−およびジアルキル化ｔ−オクチルフェノチアジン類の混合物、Ｎ−アリルフェノチアジンおよび／またはＮ，Ｎ，Ｎ’，Ｎ’−テトラフェニル−１，４−ジアミノブタ−２−エンからなる群から選択される少なくとも１種の化合物または混合物を含んでなる、（１）または（２）に記載の方法。
（４）
抗酸化剤Ａ４が、モノ−およびジアルキル化ｔ−ブチル/ｔｅｒｔ−オクチルジフェニルアミン類の混合物、モノ−およびジアルキル化ノニルジフェニルアミン類の混合物、モノ−およびジアルキル化ドデシルジフェニルアミン類の混合物、モノ−およびジアルキル化イソプロピル/イソヘキシルジフェニルアミン類の混合物、ならびにモノ−およびジアルキル化ｔ−ブチルジフェニルアミン類の混合物からなる群から選択される少なくとも１種の混合物を含んでなる、（１）〜（３）のいずれか一つに記載の方法。
（５）
抗酸化剤Ａ４が、成分Ａ１およびＡ２の重量部の総和に対して０．０５〜１．５重量部の量で存在する、（１）〜（４）のいずれか一つに記載の方法。
（６）
前記ポリエーテルカーボネートポリオールＡ１が、
≧２重量％〜≦３０重量％の二酸化炭素および≧７０重量％〜≦９８重量％の１種以上のアルキレンオキシドの、
≧１〜≦６、好ましくは≧１〜≦４、特に好ましくは≧２〜≦３の平均官能性を有する１種以上のＨ−官能性スターター分子の存在下における
共重合により得られるものである、（１）〜（５）のいずれか一つに記載の方法。
（７）
前記ポリエーテルカーボネートポリオールＡ１が、複金属シアン化物触媒（ＤＭＣ触媒）を用いて得られるものである、（１）〜（６）のいずれか一つに記載の方法。
（８）
前記ポリエーテルカーボネートポリオールＡ１が、酸化エチレンおよび／または酸化プロピレンを用いて得られるものである、（１）〜（７）のいずれか一つに記載の方法。
（９）
前記ポリエーテルカーボネートポリオールＡ１が、酸化プロピレンを用いて得られるものである、（１）〜（８）のいずれか一つに記載の方法。
（１０）
前記ポリエーテルカーボネートポリオールＡ１が、２：１〜１：２０のｅ／ｆ比を有する式（ＩＸ）のブロックを含んでなる、（１）〜（９）のいずれか一つに記載の方法：
【化３】
2018503730.tif 000001
。
（１１）
成分Ｂが、トリレン２，４−、２，６−ジイソシアネート（ＴＤＩ）、ジフェニルメタン４，４’−、２，４’−、２，２’−ジイソシアネート（ＭＤＩ）および／またはポリフェニルポリメチレンポリイソシアネート（「多環式ＭＤＩ」）を含んでなる、（１）〜（１０）のいずれか一つに記載の方法。
（１２）
（１）〜（１１）のいずれか一つに記載の方法により得られる、軟質ポリウレタンフォーム。
（１３）
家具緩衝材、織物インサート、マットレス、自動車用シート、ヘッドレスト、アームレスト、スポンジ、自動車用コンポーネント用途のフォームシート、例えば、ルーフヘッドライニング、ドアトリム、シートカバーおよび構成部材を製造するための、（１２）に記載の軟質ポリウレタンフォームの使用。
【手続補正２】
【補正対象書類名】特許請求の範囲
【補正対象項目名】全文
【補正方法】変更
【補正の内容】
【特許請求の範囲】
【請求項１】
Ａ１  ≧５０〜≦１００重量部の、ＤＩＮ５３２４０にしたがって≧２０ｍｇ  ＫＯＨ／ｇ〜≦２５０ｍｇ  ＫＯＨ／ｇの水酸基価を有するポリエーテルカーボネートポリオール；
Ａ２  ≦５０〜≧０重量部の、ＤＩＮ５３２４０にしたがって≧２０ｍｇ  ＫＯＨ／ｇ〜≦２５０ｍｇ  ＫＯＨ／ｇの水酸基価を有する、カ−ボネート単位を含まないポリエーテルポリオール；
Ａ３  成分Ａ１およびＡ２の重量部の総和に対して０．５〜２５重量部の、水および／または物理的発泡剤；
Ａ４  成分Ａ１およびＡ２の重量部の総和に対して０．０２〜３．０重量部の、式：
ＨＮＲ１Ｒ２          （ＶＩ）
［式中、
Ｒ１は、Ｃ１〜Ｃ１８アルキル、フェニル−Ｃ１〜Ｃ４アルキル、Ｃ５〜Ｃ１２シクロアルキル、フェニル、ナフチル、各々がＣ１〜Ｃ１２アルキルもしくはＣ１〜Ｃ１２アルコキシもしくはベンジルもしくはα，α−ジメチルベンジルで置換されているフェニルまたはナフチルを表し、かつ
Ｒ２は、フェニル、ナフチル、各々がＣ１〜Ｃ１２アルキルもしくはＣ１〜Ｃ１２アルコキシもしくはベンジルもしくはα，α−ジメチルベンジルで置換されているフェニルまたはナフチルを表す。]
の少なくとも１種の化合物を含んでなる抗酸化剤；
Ａ５  成分Ａ１およびＡ２の重量部の総和に対して０．１〜８．１重量部の、補助物質および添加物質
を含んでなる成分Ａと、
ジ−および／またはポリイソシアネートを含んでなる成分Ｂ
との反応による、ポリウレタンフォーム、好ましくは軟質ポリウレタンフォーム、の製造方法であって、
製造が、７０〜１３０のインデックスにおいて行われ、
組成中のＡ１＋Ａ２の重量部の総和が１００になるように、全ての前記成分Ａ１〜Ａ５の前記重量部が正規化され、かつ、
ａ）成分Ａは、抗酸化剤Ａ４以外にその他の抗酸化剤を含有しないか、または、ｂ）成分Ａは、抗酸化剤Ａ４以外に、
ｉ）フェノール誘導体
ｉｉ）ラクトン
ｉｉｉ）リン誘導体
の群から選択される１つ以上の化合物を含んでなる抗酸化剤を含有しない、方法。
【請求項２】
請求項１に記載の方法により得られる、軟質ポリウレタンフォーム。
【請求項３】
家具緩衝材、織物インサート、マットレス、自動車用シート、ヘッドレスト、アームレスト、スポンジ、自動車用コンポーネント用途のフォームシート、例えば、ルーフヘッドライニング、ドアトリム、シートカバーおよび構成部材を製造するための、請求項２に記載の軟質ポリウレタンフォームの使用。